【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
グレイラインの階調値を示すモノクロ画像データを取得する取得工程と、
前記取得工程において取得された前記モノクロ画像データを、グレイラインの階調値と色空間の座標値とが関連づけられた第１の変換用データを用いて、色調、明るさ、コントラストのうち少なくともいずれかの要素が異なる複数のモノクロパターン画像に対応する中間画像データに変換する第１の変換工程と、
前記中間画像データを、前記色空間の座標値と色材色データとが関連づけられた第２の変換用データを用いて、前記複数のモノクロパターン画像を同一の記録媒体に印刷するための前記色材色データに変換する第２の変換工程と、を有し、
前記第２の変換用データの前記色空間における各軸の格子点数は、前記モノクロ画像データの階調数よりも少ないことを特徴とする画像処理方法。
【請求項２】
前記第１の変換工程は、前記複数のモノクロパターン画像について、複数の異なる第１の変換用データを用いることを特徴とする請求項１に記載の画像処理方法。
【請求項３】
前記複数の異なる第１の変換用データは、前記色空間において、異なる領域に特定されることを特徴とする請求項２に記載の画像処理方法。
【請求項４】
前記第２の変換用データは、前記要素毎に、前記グレイラインの階調値と色材色データとが関連づけられた第３の変換用データに対応づけられたデータであり、
前記第２の変換用データの前記色空間における各軸の格子点数は、前記第３の変換用データにおける格子点数よりも少ないことを特徴とする請求項１乃至３のいずれか１項に記載の画像処理方法。
【請求項５】
前記第２の変換用データは、３次元ルックアップテーブルであり、前記第３の変換用データは、１次元ルックアップテーブルであることを特徴とする請求項４に記載の画像処理方法。
【請求項６】
前記第３の変換用データの格子点は、前記第２の変換用データの前記色空間における隣接する格子点に連続して対応づけられていることを特徴とする請求項４又は５に記載の画像処理方法。
【請求項７】
前記第３の変換用データの格子点は、前記第２の変換用データの前記色空間における平面上の座標に割り当てられることを特徴とする請求項４乃至６のいずれか１項に記載の画像処理方法。
【請求項８】
前記平面は、前記色空間の２つの軸により特定されることを特徴とする請求項７に記載の画像処理方法。
【請求項９】
前記第３の変換用データの格子点は、前記グレイラインの階調値に基づく順番で前記第２の変換用データに対応づけられることを特徴とする請求項４乃至８のいずれか１項に記載の画像処理方法。
【請求項１０】
前記第２の変換工程において変換された前記色材色データに基づいて印刷を実行するように制御する印刷制御工程、をさらに有することを特徴とする請求項１乃至９のいずれか１項に記載の画像処理方法。
【請求項１１】
前記第１の変換工程において変換された前記中間画像データを、前記複数のモノクロパターン画像を同一の記録媒体に印刷するように処理する画像処理工程、をさらに有し、
前記第２の変換工程は、前記複数のモノクロパターン画像を含む前記中間画像データを前記色材色データに変換する、
ことを特徴とする請求項１乃至１０のいずれか１項に記載の画像処理方法。
【請求項１２】
前記第３の変換用データに基づいて、前記第２の変換用データを生成する生成工程、をさらに有することを特徴とする請求項４乃至９のいずれか１項に記載の画像処理方法。
【請求項１３】
前記色空間は、ＲＧＢ色空間であることを特徴とする請求項１乃至１２のいずれか１項に記載の画像処理方法。
【請求項１４】
前記色材色データは、ＣＭＹＫを含む色材それぞれについての付与量を示すことを特徴とする請求項１乃至１３のいずれか１項に記載の画像処理方法。
【請求項１５】
前記第１の変換工程は、異なるパラメータを有する前記複数のモノクロパターン画像を印刷するためのユーザ指示が受け付けられた場合、前記第１の変換用データを用いて、前記モノクロ画像データを前記複数のモノクロパターン画像に対応する前記中間画像データに変換することを特徴とする請求項１乃至１４のいずれか１項に記載の画像処理方法。
【請求項１６】
前記中間画像データの階調数は、前記取得工程において取得された前記モノクロ画像データの階調数と同じであることを特徴とする請求項１乃至１５のいずれか１項に記載の画像処理方法。
【請求項１７】
前記複数の異なる第１の変換用データは、前記色空間における同一平面上の異なる領域に特定されることを特徴とする請求項３に記載の画像処理方法。
【請求項１８】
前記複数の異なる第１の変換用データに含まれる座標値は、複数の異なる第２の変換用データに対応することを特徴とする請求項３に記載の画像処理方法。
【請求項１９】
請求項１乃至１８のいずれか１項に記載の画像処理方法の各工程をコンピュータに実行させるためのプログラム。
【請求項２０】
画像データを処理する画像処理装置であって、
グレイラインの階調値を示すモノクロ画像データを取得する取得手段と、
前記取得手段により取得された前記モノクロ画像データを、グレイラインの階調値と色空間の座標値とが関連づけられた第１の変換用データを用いて、色調、明るさ、コントラストのうち少なくともいずれかの要素が異なる複数のモノクロパターン画像に対応する中間画像データに変換する第１の変換手段と、
前記中間画像データを、前記色空間の座標値と色材色データとが関連づけられた第２の変換用データを用いて、前記複数のモノクロパターン画像を同一の記録媒体に印刷するための前記色材色データに変換する第２の変換手段と、を有し、
前記第２の変換用データの前記色空間における各軸の格子点数は、前記モノクロ画像データの階調数よりも少ないことを特徴とする画像処理装置。
【請求項２１】
画像データを処理する画像処理装置であって、
グレイラインの階調値を示すモノクロ画像データを取得する取得手段と、
前記取得手段により取得された前記モノクロ画像データを、グレイラインの階調値と色空間の座標値とが関連づけられた第１の変換用データを用いて、色調、明るさ、コントラストのうち少なくともいずれかの要素が異なる複数のモノクロパターン画像に対応する中間画像データに変換する第１の変換手段と、
前記中間画像データを、前記色空間の座標値と色材色データとが関連づけられた第２の変換用データを用いて、前記中間画像データを前記複数のモノクロパターン画像を同一の記録媒体に印刷するための前記色材色データに変換するためのユニット、へ送信する送信手段と、を有し、
前記第２の変換用データの前記色空間における各軸の格子点数は、前記モノクロ画像データの階調数よりも少ないことを特徴とする画像処理装置。
【請求項２２】
異なるパラメータを有する複数のモノクロパターン画像を印刷するシステムであって、
グレイラインの階調値を示すモノクロ画像データを取得する取得手段と、
前記取得手段により取得された前記モノクロ画像データを、グレイラインの階調値と色空間の座標値とが関連づけられた第１の変換用データを用いて、色調、明るさ、コントラストのうち少なくともいずれかの要素が異なる複数のモノクロパターン画像に対応する中間画像データに変換する第１の変換手段と、
前記中間画像データを、前記色空間の座標値と色材色データとが関連づけられた第２の変換用データを用いて、前記複数のモノクロパターン画像を同一の記録媒体に印刷するための前記色材色データに変換する第２の変換手段と、
前記第２の変換手段により変換された前記色材色データに基づいて印刷を実行する印刷手段と、を有し、
前記第２の変換用データの前記色空間における各軸の格子点数は、前記モノクロ画像データの階調数よりも少ないことを特徴とするシステム。
【手続補正２】
【補正対象書類名】明細書
【補正対象項目名】発明の名称
【補正方法】変更
【補正の内容】
【発明の名称】画像処理装置、画像処理方法、プログラム、並びにシステム
【手続補正３】
【補正対象書類名】明細書
【補正対象項目名】０００１
【補正方法】変更
【補正の内容】
【０００１】
本発明は、パターン印刷を行う画像処理装置、画像処理方法、プログラム、並びにシステムに関する。
【手続補正４】
【補正対象書類名】明細書
【補正対象項目名】０００６
【補正方法】変更
【補正の内容】
【０００６】
本発明の目的は、このような従来の問題点を解決することにある。上記の点に鑑み、本発明は、パターン印刷処理の効率性を向上させる画像処理装置、画像処理方法、プログラム、並びにシステムを提供することを目的とする。
【手続補正５】
【補正対象書類名】明細書
【補正対象項目名】０００７
【補正方法】変更
【補正の内容】
【０００７】
上記課題を解決するため、本発明に係る画像処理装置は、グレイラインの階調値を示すモノクロ画像データを取得する取得工程と、前記取得工程において取得された前記モノクロ画像データを、グレイラインの階調値と色空間の座標値とが関連づけられた第１の変換用データを用いて、色調、明るさ、コントラストのうち少なくともいずれかの要素が異なる複数のモノクロパターン画像に対応する中間画像データに変換する第１の変換工程と、前記中間画像データを、前記色空間の座標値と色材色データとが関連づけられた第２の変換用データを用いて、前記複数のモノクロパターン画像を同一の記録媒体に印刷するための前記色材色データに変換する第２の変換工程と、を有し、前記第２の変換用データの前記色空間における各軸の格子点数は、前記モノクロ画像データの階調数よりも少ないことを特徴とする。